(57)【要約】 【課題】  小型で、容易な操作で撮影する方向を変化させることができ、さらに撮影する画像を確認しながら撮影できるカメラ付き携帯端末装置およびカメラ付き携帯電話機を提供することを目的とする。【解決手段】  第１ミラー１６と第２ミラー１７とを有する切替ユニット１５を移動させて、第２ミラー１７がレンズ１３の光軸上にある第１位置にすると、撮影者２２と同一側にある被写体２３からの光を、第１ミラー１６によって、第２ミラー１７に反射し、第２ミラー１７に対して反射された光を、第２ミラー１７によって、レンズ１３に反射して、ＣＣＤ１４は、レンズ１３に対して反射された光を、電気的な信号に変換して画像を撮像する。それに対して、切替ユニット１５を移動させて、第１ミラー１６と第２ミラー１７とが光軸上以外にある第２位置にすると、ＣＣＤ１４は、撮影者２２と反対側にある被写体２４からの光を電気的な信号に変換して画像を撮像する。【選択図】      図１
2006217368.tif 000002
【特許請求の範囲】
【請求項１】
光を電気的な信号に変換して画像を撮像する撮像手段と、
光を反射する反射部材を複数有する反射手段と、
少なくとも１つの前記反射部材が前記撮像手段の光軸上にある第１位置と、すべての前記反射部材が前記光軸上以外にある第２位置とに、前記反射手段を移動させて切替える切替手段とを有し、
前記反射手段は、前記第１位置にある場合に、前記撮像手段の撮像方向と同方向の入射光を、前記光軸上以外にある反射部材によって、前記光軸上にある反射部材に反射し、
前記光軸上にある反射部材に対して反射された光を、前記光軸上にある反射部材によって、前記撮像手段に反射するように構成されていることを特徴とするカメラ付き携帯端末装置。
【請求項２】
前記反射手段は、前記入射光の光路の方向が９０度変わるように設けられる第１反射部材と、
前記第１反射部材によって光路の方向が変えられた光の光路の方向を９０度変えて、前記撮像手段に反射するように設けられた第２反射部材とから構成されることを特徴とする請求項１記載のカメラ付き携帯端末装置。
【請求項３】
前記第２反射部材は、前記第１反射部材より小さいことを特徴とする請求項２記載のカメラ付き携帯端末装置。
【請求項４】
前記第１反射部材および前記第２反射部材は、ミラーを含んで構成されることを特徴とする請求項２または３記載のカメラ付き携帯端末装置。
【請求項５】
前記切替手段は、前記反射手段と一体化されており、
前記切替手段の一部が、筺体の外部に露出するように設けられることを特徴とする請求項２〜４のいずれか１つに記載のカメラ付き携帯端末装置。
【請求項６】
前記切替手段は、第１開口部および第２開口部を有し、
前記第１開口部は、前記反射手段が前記第１位置にある場合に、前記撮像方向と同方向の入射光が、前記第１反射部材に入射され、
前記第２開口部は、前記第１反射部材と前記第２反射部材との間に、前記反射手段が前記第２位置にある場合に前記光軸上となるように設けられるように設けられることを特徴とする請求項５記載のカメラ付き携帯端末装置。
【請求項７】
前記切替手段の前記第２位置より前記第１位置への移動距離は、前記第１位置の場合の光路に携帯端末装置の筺体がかからないように、前記切替手段が外側に移動できる距離であることを特徴とする請求項１〜６記載のカメラ付き携帯端末装置。
【請求項８】
前記第１開口部は、前記第２開口部より大きいことを特徴とする請求項６または７記載のカメラ付き携帯端末装置。
【請求項９】
所定の表示内容を表示する表示手段を有し、
前記表示手段は、表示方向が前記撮像方向とは反対となるように構成されていることを特徴とする請求項１〜８のいずれか１つに記載のカメラ付き携帯端末装置。
【請求項１０】
所定の表示内容を表示する表示手段と、
光を電気的な信号に変換して画像を撮像する撮像手段と、
光を反射する反射部材を複数有する反射手段と、
少なくとも１つの前記反射部材が前記撮像手段の光軸上である第１位置と、すべての前記反射部材が前記光軸上以外である第２位置とに、前記反射手段を移動させて切替える切替手段とを有し、
前記反射手段は、前記第１位置にある場合に、前記撮像手段の撮像方向と同方向の入射光を、前記光軸上以外の反射部材によって、前記光軸上の反射部材に反射し、
前記光軸上の反射部材に対して反射された光を、前記光軸上の反射部材によって、前記撮像手段に反射するように構成されていることを特徴とするカメラ付き携帯電話機。
【発明の詳細な説明】
【技術分野】
【０００１】
本発明は、被写体からの光によって形成された被写体像を光電変換素子によって電気信号に変換して画像を撮像する機能を有するカメラ付き携帯端末装置およびカメラ付き携帯電話機に関する。
【背景技術】
【０００２】
カメラ付き携帯端末装置およびカメラ付き携帯電話機は、一般に、撮影される画像を表示装置に映して確認しながら撮影することができる。また、カメラ付き携帯端末装置およびカメラ付き携帯電話機は、風景および他人を撮影するとともに、自分自身も撮影するという使い方がされている。
【０００３】
図５は、第１の従来技術であるカメラ付き携帯電話機３１の概略図である。カメラ付き携帯電話機３１は、現在、一般に市販されているカメラ付き携帯電話機であり、筺体３２、レンズ３３、ＣＣＤ（Charge Coupled Device）３４、ＬＣＤ（Liquid Crystal
Display）３５、入力キー３６および開口部３７を有している。ＬＣＤ３５と入力キー３６とが同じ面に設置されており、開口部３７は、ＬＣＤ３５および入力キー３６が形成されている面に対向する面に形成されている。図５に示すように、被写体３８からの光を開口部３７から入射させ、その入射光をレンズ３３でＣＣＤ３４に集光して撮像する。そうすることで、風景および他人などの撮影者３９以外を撮影する場合には、ＬＣＤ３５に映される画像を確認しながら撮影することができる。図６は、第１の従来技術であるカメラ付き携帯電話機３２の開口部３７を有する側面を示す側面図である。図６に示すように、筺体３２には、開口部３７を有する側面で、開口部３７のとなりに鏡４０が設けられている。そうすることで、撮影者３９自身を撮影する場合、ＬＣＤ３５に映される画像を確認しながら撮影することはできないが、鏡４０に映された撮影者３９を確認しながら、撮影することができる。
【０００４】
第２の従来技術は、特許文献１および２に記載されている。特許文献１および２の携帯型情報端末機器は、入力部を有する筺体と表示部を有する筺体とを備え、それらがヒンジによって折り畳み可能に接続されている。さらに、入力部を有する筺体にカメラを有し、表示部を有する筺体にミラーを、折り畳み状態でカメラの光軸上になるように設置する。そのミラーを用いることによって、撮影する方向を変化させることができる。
【０００５】
第３の従来技術は、非特許文献１に記載されている。非特許文献１のカメラ付き携帯電話機は、入力部を有する筺体と表示部およびカメラを有する筺体とを備え、それらがヒンジによって折り畳み可能に接続されている。入力部を有する筺体には、ヒンジの中心線に垂直な軸線回りに回転できる回転ヒンジを有している。入力部を有する筺体を回転させることによって、表示部に映された画像を確認しながら撮影でき、撮影する方向も自由に変化させることができる。
【０００６】
第４の従来技術は、特許文献３に記載されている。特許文献３のカメラ付き通信端末装置は、通信端末装置にカメラが回転機構によって回転自在に取り付けられている。カメラを回転させることによって、撮影する方向を変化させることができる。
【０００７】
第５の従来技術は、特許文献４に記載されている。特許文献４のカメラ付き携帯端末機は、筺体の外部にミラーを有する部材を備えている。そのミラーを有する部材を組み立てて、ミラーの設置される角度を変化させることによって、ミラーが受光センサの光軸上の位置と受光センサの光軸上以外の位置とに切替える。そうすることによって、撮影する方向を変化させることができる。
【０００８】
第６の従来技術は、特許文献５に記載されている。特許文献５の携帯情報端末機は、筺体の表裏に撮影用透過窓を有し、２枚の傾斜角度の異なるミラーを有するスライド片を、それらのミラーの少なくとも一方が撮像素子の光軸上に配置されるように移動可能に設置されている。スライド片を移動させることによって、撮影方向を変化させることができる。
【０００９】
【特許文献１】特開２００３−６９８６８号公報
【特許文献２】特開２００３−１１０８９５号公報
【特許文献３】特開２００３−２６４６１９号公報
【特許文献４】特開２００４−８０１４７号公報
【特許文献５】特開２００４−１３３２２号公報
【非特許文献１】Ｖ４０２ＳＨ  取扱説明書基本操作編，日本，ボーダフォン株式会社，第１−１０頁、第１−１１頁、第７−４頁〜第７−９頁
【発明の開示】
【発明が解決しようとする課題】
【００１０】
第１の従来技術のカメラ付き携帯電話機３１では、撮影者３９を撮影する場合、開口部３７と同じ面にある鏡４０に映された撮影者３９を確認しながら撮影することになる。しかしながら、鏡４０に映された撮影者３９と撮像手段３４によって撮像された画像とでは、ずれが生じてしまうため、撮影範囲および撮影倍率を調整することが不可能であり、所望の画像を撮影することが困難である。
【００１１】
第２の従来技術の携帯型情報端末機器では、カメラを有する筺体とは別の筺体にミラーを有するので、撮影方向を変化させるためには、折り畳み状態で使用する必要がある。したがって、撮影する画像を表示手段などで確認して撮影することができない。
【００１２】
第３の従来技術のカメラ付き携帯電話機では、入力部を有する筺体と表示部およびカメラを有する筺体とを備え、それらがヒンジによって折り畳み可能に接続されており、さらに、入力部を有する筺体にヒンジを有する。したがって、ヒンジが２つ必要なので、小型化が困難であり、高価なものとなってしまう。
【００１３】
第４の従来技術のカメラ付き通信端末装置では、通信端末装置にカメラを回転機構によって回転自在に取り付けられている。したがって、通信端末装置本体の回路とカメラとを高価な可動式のフレキシブルチューブなどを用いて、電源および信号線などを接続する必要である。さらに、カメラを回転した後、カメラを固定する必要があるので、カメラを固定するための技術が必要であり、カメラ付き通信端末装置としての信頼性に問題がある。
【００１４】
第５の従来技術のカメラ付き携帯端末機では、筺体の外部にミラーを有する部材を備えており、撮影する方向を変えるために、その部材を組み立ててミラーを設置する角度を変化させる。したがって、撮影する方向を変えるのに、手間がかかってしまい、ミラーを有する部材が筺体の外部にあるので、撮影される画像が安定しない。
【００１５】
第６の従来技術の携帯情報端末機では、スライド片にはミラーが２枚必要であり、そのスライド辺をスライドさせるためのスペースが筺体内に必要であるので、筺体が大きくなってしまう。
【００１６】
本発明の目的は、小型で、容易な操作で撮影する方向を変化させることができ、さらに撮影する画像をＬＣＤで確認しながら撮影できるカメラ付き携帯端末装置およびカメラ付き携帯電話機を提供することである。
【課題を解決するための手段】
【００１７】
本発明は、光を電気的な信号に変換して画像を撮像する撮像手段と、
光を反射する反射部材を複数有する反射手段と、
少なくとも１つの前記反射部材が前記撮像手段の光軸上にある第１位置と、すべての前記反射部材が前記光軸上以外にある第２位置とに、前記反射手段を移動させて切替える切替手段とを有し、
前記反射手段は、前記第１位置にある場合に、前記撮像手段の撮像方向と同方向の入射光を、前記光軸上以外にある反射部材によって、前記光軸上にある反射部材に反射し、
前記光軸上にある反射部材に対して反射された光を、前記光軸上にある反射部材によって、前記撮像手段に反射するように構成されていることを特徴とするカメラ付き携帯端末装置である。
【００１８】
また本発明は、前記反射手段は、前記入射光の光路の方向が９０度変わるように設けられる第１反射部材と、
前記第１反射部材によって光路の方向が変えられた光の光路の方向を９０度変えて、前記撮像手段に反射するように設けられた第２反射部材とから構成されることを特徴とする。
【００１９】
また本発明は、前記第２反射部材は、前記第１反射部材より小さいことを特徴とする。
また本発明は、前記第１反射部材および前記第２反射部材は、ミラーを含んで構成されることを特徴とする。
【００２０】
また本発明は、前記切替手段は、前記反射手段と一体化されており、
前記切替手段の一部が、筺体の外部に露出するように設けられることを特徴とする。
【００２１】
また本発明は、前記切替手段は、第１開口部および第２開口部を有し、
前記第１開口部は、前記反射手段が前記第１位置にある場合に、前記撮像方向と同方向の入射光が、前記第１反射部材に入射されるように設けられ、
前記第２開口部は、前記第１反射部材と前記第２反射部材との間に、前記反射手段が前記第２位置にある場合に前記光軸上となるように設けられることを特徴とする。
【００２２】
また本発明は、前記切替手段の前記第２位置より前記第１位置への移動距離は、前記第１位置の場合の光路に携帯端末装置の筺体がかからないように、前記切替手段が外側に移動できる距離であることを特徴とする。
【００２３】
また本発明は、前記第１開口部は、前記第２開口部より大きいことを特徴とする。
また本発明は、所定の表示内容を表示する表示手段を有し、
前記表示手段は、表示方向が前記撮像方向とは反対となるように構成されていることを特徴とする。
【００２４】
また本発明は、所定の表示内容を表示する表示手段と、
光を電気的な信号に変換して画像を撮像する撮像手段と、
光を反射する反射部材を複数有する反射手段と、
少なくとも１つの前記反射部材が前記撮像手段の光軸上である第１位置と、すべての前記反射部材が前記光軸上以外である第２位置とに、前記反射手段を移動させて切替える切替手段とを有し、
前記反射手段は、前記第１位置にある場合に、前記撮像手段の撮像方向と同方向の入射光を、前記光軸上以外の反射部材によって、前記光軸上の反射部材に反射し、
前記光軸上の反射部材に対して反射された光を、前記光軸上の反射部材によって、前記撮像手段に反射するように構成されていることを特徴とするカメラ付き携帯電話機である。
【発明の効果】
【００２５】
本発明によれば、光を反射する反射部材を複数有する反射手段を、切替手段によって移動させて、少なくとも１つの反射部材が撮像手段の光軸上にある第１位置にすると、反射手段は、撮像手段から被写体の方向である撮像方向と同方向の入射光を、光軸上以外にある反射部材によって、光軸上にある反射部材に反射し、光軸上にある反射部材に対して反射された光を、光軸上の反射部材によって、撮像手段に反射して、撮像手段は、撮像手段に対して反射された光を、電気的な信号に変換して画像を撮像する。それに対して、切替手段によって反射手段を移動させて、すべての反射部材が前記撮像手段の光軸上以外にある第２位置にすると、撮像手段は、撮像方向と反対方向の入射光を電気的な信号に変換して画像を撮像する。
【００２６】
以上のように、切替手段によって、反射手段を移動させて、その位置を切替える容易な操作によって、撮像する方向を変化させることができる。さらに、切替手段によって、反射手段を移動させるだけであるので、装置を大型化する必要がなく、小型な装置で実現することができる。
【００２７】
また本発明によれば、反射手段は、入射光の光路の方向が９０度変わるように設けられる第１反射部材と、その第１反射部材によって光路の方向が変えられた光の光路の方向を９０度変えて、前記撮像手段に反射するように設けられた第２反射部材とから構成されている。そうすることによって、反射手段は、第１位置にある場合に、第１反射部材によって、撮像方向と同方向の入射光の光路の方向を９０度変えて、第２反射部材に反射し、第２反射部材によって、第２反射部材に対して反射された光の光路の方向を９０度変えて、撮像手段に反射する。したがって、反射手段は、第１反射部材および第２反射部材のみの単純な構造で、撮像方向と同方向の入射光を撮像手段に反射させることができるので、撮像手段は、撮像方向と同方向の入射光に基づいて撮像することができる。
【００２８】
また本発明によれば、第２反射部材は、第１反射部材より小さい。そうすることによって、反射手段が第１位置にある場合に、第１反射部材によって反射された光の一部を、第２反射部材によって、撮像手段に反射することになるので、撮像される画像の周辺部が欠けることがない。
【００２９】
また本発明によれば、第１反射部材および第２反射部材は、ミラーを含んで構成されるので、光を容易に反射させることができる。
【００３０】
また本発明によれば、切替手段は、反射手段と一体化されており、切替手段の一部が、筺体の外部に露出するように設けられている。そうすることによって、撮影者が、切替手段の筺体の外部に露出している部分を移動させて、反射手段の位置を容易に切替えることができる。
【００３１】
また本発明によれば、切替部材は、反射手段が第１位置にある場合に、撮像方向と同方向の入射光が、第１反射部材に入射されるように設けられる第１開口部を有し、さらに、第１反射部材と第２反射部材との間に、反射手段が第２位置にある場合に撮像手段の光軸上となるように設けられる第２開口部を有する。そうすることによって、切替手段によって、反射手段を第１位置にした場合、第１開口部を通過した入射光に基づいて撮像し、切替手段によって、反射手段を第２位置にした場合、第２開口部を通過した入射光に基づいて撮像することができる。したがって、切替手段によって、反射手段の位置を切替えると、異なる開口部を通過した入射光に基づいて撮像することができる。
【００３２】
また本発明によれば、切替手段の移動方向における第２開口部の中心と第２反射部材の中心との距離、つまり、切替手段の第２位置より第１位置への移動距離は、第１位置の場合の光路に携帯端末装置の筐体がかからないように、切替手段が十分に外側に移動できる距離であるように配慮されている。
さらに、反射手段を第２位置にした場合、切替部材を筺体から突出しないように収納することができる。したがって、小型で、デザイン性が良い装置で、撮影する方向を変化させることができる。
【００３３】
また本発明によれば、第１開口部は、第２開口部より大きい。そうすることによって、第１開口部を通過する入射光に基づいて撮像する場合は、第２開口部を通過する入射光に基づいて撮像する場合より、近い被写体を撮影することができるので、撮影者自身を撮影する場合などの被写体が近い場合であっても、撮影することができる。
【００３４】
また本発明によれば、所定の表示内容を表示する表示手段を有し、その表示方向は、撮像手段の撮像方向とは反対の方向となるように構成されている。そうすることによって、表示手段によって、撮像される画像を確認しながら、撮像することができる。
【００３５】
また本発明によれば、光を反射する反射部材を複数有する反射手段を、切替手段によって、移動させて、少なくとも１つの反射部材が撮像手段の光軸上である第１位置にすると、撮像手段の撮像方向と同方向の入射光を、光軸上以外の反射部材によって、光軸上の反射部材に反射し、光軸上の反射部材に反射された光を、光軸上の反射部材によって、撮像手段に反射して、撮像手段に反射された光を電気的な信号に変換して画像を撮像する。それに対して、切替手段によって反射手段を移動させて、すべての反射部材が前記撮像手段の光軸上以外である第２位置にすると、撮像手段は、撮像方向と反対方向の入射光を電気的な信号に変換して画像を撮像する。したがって、切替手段によって、反射手段を移動させて、その位置を切替える容易な操作で、撮像する方向を変化させることができる。さらに、切替手段によって、反射手段を移動させるだけであるので、装置を大型化する必要がなく、小型な装置で実現することができる。
【発明を実施するための最良の形態】
【００３６】
以下に本発明を実施の形態によって詳細に説明する。本発明であるカメラ付き携帯電話機は、撮影される画像を確認しながら撮影することができ、撮影者自身を撮影するためと風景などの撮影者以外を撮影するためとに撮影する方向を変化させることができる携帯電話機である。
【００３７】
図１は、本発明の実施形態である携帯電話機１の構成を示す概略図である。図１（ａ）は、撮影者を撮影する際の携帯電話機１の構成を示す概略図であり、図１（ｂ）は、撮影者以外を撮影する際の携帯電話機１の構成を示す概略図である。携帯電話機１は、筺体１１に、ＬＣＤ１２、レンズ１３、ＣＣＤ１４、切替ユニット１５および図示しない入力キーなどを備えている。
【００３８】
ＬＣＤ１２は、後述の画像データおよび入力キーによって入力される文字などを表示する。ＬＣＤ１２は、筺体１１の一側面に設置されており、たとえば、２４０×１６０ドットのカラーＬＣＤで実現される。また、ＬＣＤ１２は、表示手段に相当する。なお、携帯電話機１では、ＬＣＤ１２の設けられている側面を正面とする。
【００３９】
レンズ１３は、筺体１１内に設けられ、レンズ１３に対して照射された光を集光してＣＣＤ１４に照射する。ＣＣＤ１４は、レンズ１３によって集光されて照射された光を電気的な信号に変換して、画像データを生成させる。レンズ１３およびＣＣＤ１４は、撮像手段に相当し、その撮像方向は、ＣＣＤ１４からレンズ１３に向かう方向である。
【００４０】
切替ユニット１５は、筺体１１の背面に露出するように設けられ、第１ミラー１６、第２ミラー１７、第１開口部１８および第２開口部１９を備えられている。さらに、切替ユニット１５には、ガイドなどが設けられており、筺体１１から露出している部分を撮影者が押さえて動かすことによって、切替ユニット１５を筺体１１の背面に沿って移動させることができる。撮影者が切替ユニット１５を矢符２０方向に移動させると、図１（ａ）に示すように、切替ユニット１５は、第２ミラー１７がレンズ１３の光軸上にあって第１ミラー１６がレンズ１３の光軸上以外にある第１位置に移動することができる。また、撮影者が切替ユニット１５を矢符２１方向に移動させると、図１（ｂ）に示すように、切替ユニット１５は、第１ミラー１６と第２ミラー１７との両方がレンズ１３の光軸上以外にある第２位置に移動することができる。切替ユニット１５は、切替手段に相当する。
【００４１】
第１ミラー１６および第２ミラーは、光の光路の方向を変えることができる。第１ミラー１６は、図１（ａ）に示すように切替ユニット１５が第１位置にある場合、撮像方向と同じ方向の入射光である撮影者２２と同一側にある被写体２３からの光の光路の方向を９０度変えるように切替ユニット１５に備えられる。第２ミラー１７は、図１（ａ）に示すように切替ユニット１５が第１位置にある場合、第１ミラー１６によって光路の方向を９０度変えた光の光路の方向をさらに９０度変えて、レンズ１３に反射するように切替ユニット１５に備えられている。第１ミラー１６は、第１反射部材に相当し、第２ミラー１７は、第２反射部材に相当する。さらに、第１ミラー１６および第２ミラー１７は、反射手段に相当する。
【００４２】
第１開口部１８は、図１（ａ）に示すように切替ユニット１５が第１位置にある場合、開放方向が、ＬＣＤ１２の表示方向と同一の方向となるように設けられ、撮影者２２と同一側にある被写体２３からの光を、切替ユニット１５内の第１ミラー１６に入射させるように設けられる。第２開口部１９は、図１（ｂ）に示すように切替ユニット１５が第２位置にある場合、開放方向がＬＣＤ１２の表示方向と反対の方向となるように設けられ、第１ミラー１６と第２ミラー１７との間に、撮影者２２と反対側にある被写体２４からの光を、第１筺体１１内に入射させるように設けられる。第１開口部１６および第２開口部１７は、ガラスあるいは透明なプラスチック板などで覆われていてもよい。また、第２開口部１９は、切替ユニット１５の移動方向において、第２開口部１９の中心と第２ミラー１７の中心との距離が、第１開口部１８の開口幅以上となるように設けられている。そうすることによって、切替ユニット１５を第２位置から第１位置に切替える際の移動距離は、
第１位置の場合の光路に携帯電話機１の筐体１１がかからないように、切替ユニットが十分に外側に移動できる距離であるように配慮されている。さらに、切替ユニット１５を第２位置に移動させると、切替ユニット１５を収納させることができる。
【００４３】
携帯電話機１は、第１ミラー１６と第２ミラー１７とを有する切替ユニット１５を移動させて、図１（ａ）に示すように、切替ユニット１５を第２ミラー１７がレンズ１３の光軸上にある第１位置にすると、撮影者２２と同一側にある被写体２３からの光を、第１ミラー１６によって、第２ミラー１７に反射し、第２ミラー１７に対して反射された光を、第２ミラー１７によって、レンズ１３に反射して、レンズ１３に対して反射された光を、レンズ１３によって集光して、ＣＣＤ１４に照射する。そして、ＣＣＤ１４に対して照射された光をＣＣＤ１４で電気的な信号に変換して画像を撮像する。それに対して、切替ユニット１５を移動させて、図１（ｂ）に示すように、第１ミラー１６と第２ミラー１７とが光軸上以外にある第２位置にすると、ＣＣＤ１４は、撮影者２２と反対側にある被写体２４からの光を電気的な信号に変換して画像を撮像する。したがって、切替ユニット１５を移動させる容易な操作によって、撮像する方向を変化させることができる。さらに、切替ユニット１５を移動させて、第１ミラー１６および第２ミラー１７の位置を切替えるだけであるので、装置を大型化する必要がなく、小型な装置で実現することができる。
【００４４】
また、第２ミラー１７は、第１ミラー１６より小さくても良い。ただし第２ミラー１７のサイズは、撮像される画像の周辺部が欠けることがない大きさを確保しなければならない。
【００４５】
また、第１開口部１８は、第２開口部１９より大きいことが好ましい。そうすることによって、図１（ａ）に示すような第１開口部１８を通過する入射光に基づいて撮像する場合は、図１（ｂ）に示すような第２開口部１９を通過する入射光に基づいて撮像する場合より、近い被写体を撮影することができるので、撮影者自身を撮影する場合などの被写体が近い場合であっても撮影することができる。
【００４６】
図２は、本発明の実施形態である携帯電話機１の構成を示す概略図である。図２（ａ）は、撮影者を撮影する際の携帯電話機１の構成を示す概略図であり、図２（ｂ）は、撮影者以外を撮影する際の携帯電話機１の構成を示す概略図である。
【００４７】
携帯電話機１は、図２に示すように、ＬＣＤ１２が設けられている側面と同じ側面に入力キー２５が設けられる。入力キー２５は、撮影者２２による操作によって所定の情報を入力する。入力キー２５は、数字データ、文字データおよび携帯電話機１への指示などを入力する複数のキーによって実現される。携帯電話機１への指示を入力するキーには、ＣＣＤ１４によって生成された画像データを図示しない記憶手段への記憶を指示するキー、つまり、携帯電話機１に撮影を指示するシャッタキーを含む。なお、ＬＣＤ１２が設けられている領域は、上の領域であり、入力キー２５が設けられている領域は、下の領域とする。図１では、上面から見た携帯電話機１の構成を示し、図２では、右側面から見た携帯電話機１の構成を示している。
【００４８】
図３は、本発明の実施形態である携帯電話機１の正面図である。図３（ａ）は、撮影者を撮影する際の携帯電話機１の正面図であり、図３（ｂ）は、撮影者以外を撮影する際の携帯電話機１の正面図である。
【００４９】
第１開口部１８は、図３（ａ）に示すように、その開放方向が、筺体１１に設けられているＬＣＤ１２の表示方向と同じ方向になるように、切替ユニット１５に設けられている。切替ユニット１５は、第１位置にすると、図３（ａ）に示すように、筺体１１から突出して、切替ユニット１５に設けられた第１開口部１８が露出するように、筺体１１に設けられている。したがって、切替ユニット１５を、第１位置にすると、撮影者２２は、ＬＣＤ１２で撮影される画像を確認しながら、入力キー２５で携帯電話機１に撮影を指示して、撮影者２２と同一側に形成された第１開口部１８から光を入射して撮影することができる。つまり、撮影者を撮影することができる。また、切替ユニット１５を、第２位置にすると、図３（ｂ）に示すように、切替ユニット１５は、筺体１１に収納するように、筺体１１に設けられている。
【００５０】
また、入力キー２５は、図３に示すように、筺体１１のＬＣＤ１２が設けられている側面と同一の側面に形成されており、押し込む方向がＬＣＤ１２の表示方向とは反対の方向となるように、筺体１１に設けられている。そうすることによって、ＬＣＤ１２に表示される画像を確認しながら、入力キー２５を押すことができる。
【００５１】
図４は、本発明の実施形態である携帯電話機１の背面図である。図４（ａ）は、撮影者を撮影する際の携帯電話機１の背面図であり、図４（ｂ）は、撮影者以外を撮影する際の携帯電話機１の背面図である。
【００５２】
第２開口部１９は、図４に示すように、その方向がＬＣＤ１２の表示方向と反対の方向になるように、切替ユニット１５に設けられている。また、切替ユニット１５は、図４（ｂ）に示すように、第２位置にすると、筺体１１に収納され、第２開口部から撮影者とは反対側の光を筺体１１内に入射するように設けられている。したがって、切替ユニット１５を、第２位置にすると、撮影者２２は、ＬＣＤ１２で撮影される画像を確認しながら、入力キー２５で携帯電話機１に撮影を指示して、撮影者２２と反対側に形成された第２開口部１９から光を入射して撮影することができる。つまり、撮影者以外の風景などを撮影することができる。
【００５３】
本実施形態は、キャンディーバータイプの携帯電話機で説明したが、折り畳み可能な携帯電話機についても実施可能である。その場合、入力キー２５は、ＬＣＤ１２とは異なる筺体内に設けられるようにする以外は、携帯電話機１と同様である。
【００５４】
本実施形態は、カメラ付き携帯電話機を例に挙げて説明したが、本発明は、カメラ付き携帯端末装置であれば、たとえばカメラ付きＰＤＡ（Personal Digital Assistance）などでもよい。
【図面の簡単な説明】
【００５５】
【図１】本発明の実施形態である携帯電話機１の構成を示す概略図である。
【図２】本発明の実施形態である携帯電話機１の構成を示す概略図である。
【図３】本発明の実施形態である携帯電話機１の正面図である。
【図４】本発明の実施形態である携帯電話機１の背面図である。
【図５】第１の従来技術であるカメラ付き携帯電話機３１の概略図である。
【図６】第１の従来技術であるカメラ付き携帯電話機３２の開口部３７を有する側面を示す側面図である。
【符号の説明】
【００５６】
１，３１  携帯電話機
１１，３２  筺体
１２，３５  ＬＣＤ
１３，３３  レンズ
１４，３４  ＣＣＤ
１５  切替ユニット
１６  第１ミラー
１７  第２ミラー
１８  第１開口部
１９  第２開口部
２０，２１  矢符
２２，３９  撮影者
２３，２４，３８  被写体
２５，３６  入力キー
３７  開口部
４０  鏡
【図１】
2006217368.tif 000003
【図２】
2006217368.tif 000004
【図３】
2006217368.tif 000005
【図４】
2006217368.tif 000006
【図５】
2006217368.tif 000007
【図６】
2006217368.tif 000008